(57)【要約】【課題】管理者が、場所および時間帯に応じて、個々の電話端末５０の着信通知方法を自由に設定することができる電話システム１０を提供する。【解決手段】本発明は、電話端末５０の位置および着信時間帯の組み合わせ毎にそれぞれの電話端末５０の着信通知方法を設定し、着信があった場合に、着信先の電話端末５０の位置を特定し、特定した位置および着信日時を含む着信時間帯に対応付けて着信先の電話端末５０に設定されている着信通知方法に従って、着信先の電話端末５０に着信を通知させる。【選択図】図１
2008187352.tif 000002
【特許請求の範囲】
【請求項１】
複数の電話端末と、
それぞれの前記電話端末の発着信を制御する呼制御装置と、
ぞれぞれの前記電話端末の着信通知方法を管理する着信通知方法管理装置と
を備える電話システムであって、
前記着信通知方法管理装置は、
それぞれの前記電話端末の位置情報を、対応する電話端末を識別する電話端末ＩＤと共に格納する位置情報格納手段と、
位置情報および時間帯情報の組み合せ毎に、それぞれの前記電話端末の着信通知方法を格納する着信通知方法格納手段と、
前記呼制御装置がいずれかの前記電話端末への着信を検出した場合に、着信先の電話端末の位置情報を前記位置情報格納手段から抽出し、抽出した位置情報および着信日時に基づいて、着信先の電話端末における着信通知方法を前記着信通知方法格納手段から抽出する着信通知方法抽出手段と、
抽出された着信通知方法を、着信先の電話端末または前記呼制御装置へ送信する着信通知方法送信手段と
を有し、
前記複数の電話端末のそれぞれは、
前記着信通知方法管理装置または前記呼制御装置から送信された着信通知方法を受信すると、当該着信通知方法に従って着信を通知する着信通知手段を有すること
を特徴とする電話システム。
【請求項２】
請求項１に記載の電話システムであって、
前記複数の電話端末のそれぞれは、
無線ＬＡＮに基づいてアクセスポイントと無線通信を行い、当該アクセスポイントを介して前記呼制御装置または前記着信通知方法管理装置と通信を行い、
前記着信通知方法管理装置の位置情報格納手段は、
それぞれの前記アクセスポイントを識別するアクセスポイントＩＤを、当該アクセスポイントに帰属中の電話端末の位置情報として格納すること
を特徴とする電話システム。
【請求項３】
請求項２に記載の電話システムであって、
それぞれの前記アクセスポイントは、自アクセスポイントに帰属中の電話端末の電話端末ＩＤを、前記着信通知方法管理装置に通知し、
前記着信通知方法管理装置は、
前記アクセスポイントから通知された電話端末ＩＤを、当該アクセスポイントのアクセスポイントＩＤに対応付けて前記位置情報格納手段に登録する位置情報登録手段をさらに有することを特徴とする電話システム。
【請求項４】
請求項１から３のいずれか一項に記載の電話システムであって、
前記着信通知方法には、着信してから予め定められた期間は着信を通知せず、当該予め定められた期間以上呼び出しが継続した場合に、表示、光、音、振動、またはこれらの組み合わせにより、着信通知を開始する方法が含まれることを特徴とする電話システム。
【請求項５】
請求項１から４のいずれか一項に記載の電話システムであって、
前記着信通知方法には、着信に対して代理で応答し、着信があった旨、または、当該着信において伝言メッセージが残されている旨を表示により通知する代理応答が含まれ、
前記着信通知方法管理装置は、
代理で応答し、発信者が伝言メッセージを残す場合に、当該伝言メッセージを録音する代理応答手段をさらに有し、
前記着信送信手段は、
着信先の電話端末への通知方法が代理応答である場合、前記代理応答手段に代理で応答させ、伝言メッセージが録音された場合には、伝言メッセージが残されている旨を着信先の電話端末に通知し、伝言メッセージが録音されていない場合には、着信があった旨を着信先の電話端末に通知すること
を特徴とする電話システム。
【請求項６】
複数の電話端末のそれぞれの位置情報を、対応する電話端末を識別する電話端末ＩＤと共に格納する位置情報格納手段と、
位置情報および時間帯情報の組み合せ毎に、それぞれの前記電話端末の着信通知方法を格納する着信通知方法格納手段と、
ぞれぞれの前記電話端末の発着信を制御する呼制御装置がいずれかの前記電話端末への着信を検出した場合に、着信先の電話端末の位置情報を前記位置情報格納手段から抽出し、抽出した位置情報および着信日時に基づいて、着信先の電話端末における着信通知方法を前記着信通知方法格納手段から抽出する着信通知方法抽出手段と、
抽出された着信通知方法を、着信先の電話端末または前記呼制御装置へ送信する着信通知方法送信手段と
を備えることを特徴とする着信通知方法管理装置。
【請求項７】
複数の電話端末と、
それぞれの前記電話端末の発着信を制御する呼制御装置と
を備える電話システムであって、
前記呼制御装置は、
それぞれの前記電話端末の位置情報を、対応する電話端末を識別する電話端末ＩＤと共に格納する位置情報格納手段と、
位置情報および時間帯情報の組み合せ毎に、それぞれの前記電話端末の着信通知方法を格納する着信通知方法格納手段と、
前記呼制御装置がいずれかの前記電話端末への着信を検出した場合に、着信先の電話端末の位置情報を前記位置情報格納手段から抽出し、抽出した位置情報および着信日時に基づいて、着信先の電話端末における着信通知方法を前記着信通知方法格納手段から抽出する着信通知方法抽出手段と、
抽出された着信通知方法を、着信先の電話端末へ送信する着信通知方法送信手段と
を有し、
前記複数の電話端末のそれぞれは、
前記呼制御装置から送信された前記着信通知方法を受信すると、当該着信通知方法に従って着信を通知する着信通知手段を有すること
を特徴とする電話システム。
【発明の詳細な説明】
【技術分野】
【０００１】
本発明は、電話端末における着信の通知方法を管理および制御する技術に関する。
【背景技術】
【０００２】
特許文献１には、携帯電話機を強制的にマナーモードに設定するためのマナーモード強制移行指示信号を受信した場合に、自動的にマナーモード設定となるマナーモード付き携帯型情報端末装置が開示されている。当該マナーモード強制移行指示信号を送信する無線装置をコンサートホール等に設置することにより、当該無線装置からの信号が届くエリアに位置する携帯電話を、強制的にマナーモードにすることができると共に、当該無線装置からの信号が届くエリア外に位置する携帯電話に対しては、それぞれの携帯電話の設定に応じて着信を通知させることができる。
【０００３】
【特許文献１】特開２００３−３２７４６号公報
【発明の開示】
【発明が解決しようとする課題】
【０００４】
コンサートホールや会議室等は、コンサートや会議が行なわれている最中は、確かにマナーモードにすることは好ましい場合が多い。しかし、コンサートや会議が行われていない場合やコンサートや会議の準備を行っている場合には、これらのエリアであっても、強制的にマナーモードにされては困る場合が多い。
【０００５】
また、会議中には、会議室内の一般ユーザの携帯電話をマナーモードにすることは好ましい場合が多いが、社長等、重要な着信が多い特定のユーザの携帯電話については、たとえ会議中であっても通常の方法で着信を迅速に通知することが必要な場合がある。
【０００６】
本発明は上記事情を鑑みてなされたものであり、本発明の目的は、管理者が、場所および時間帯に応じて、個々の電話端末の着信通知方法を自由に設定できるようにすることにある。
【課題を解決するための手段】
【０００７】
上記課題を解決するために、本発明は、電話端末の位置および着信時間帯の組み合わせ毎にそれぞれの電話端末の着信通知方法を設定し、着信があった場合に、着信先の電話端末の位置を特定し、特定した位置および着信日時を含む着信時間帯に対応付けて着信先の電話端末に設定されている着信通知方法に従って、着信先の電話端末に着信を通知させる。
【０００８】
例えば、本発明の第１の態様は、複数の電話端末と、それぞれの電話端末の発着信を制御する呼制御装置と、ぞれぞれの電話端末の着信通知方法を管理する着信通知方法管理装置とを備える電話システムであって、着信通知方法管理装置は、それぞれの電話端末の位置情報を、対応する電話端末を識別する電話端末ＩＤと共に格納する位置情報格納手段と、位置情報および時間帯情報の組み合せ毎に、それぞれの電話端末の着信通知方法を格納する着信通知方法格納手段と、呼制御装置がいずれかの電話端末への着信を検出した場合に、着信先の電話端末の位置情報を位置情報格納手段から抽出し、抽出した位置情報および着信日時に基づいて、着信先の電話端末における着信通知方法を着信通知方法格納手段から抽出する着信通知方法抽出手段と、抽出された着信通知方法を、着信先の電話端末または呼制御装置へ送信する着信通知方法送信手段とを有し、複数の電話端末のそれぞれは、着信通知方法管理装置または呼制御装置から送信された着信通知方法を受信すると、当該着信通知方法に従って着信を通知する着信通知手段を有することを特徴とする電話システムを提供する。
【０００９】
また、本発明の第２の態様は、複数の電話端末のそれぞれの位置情報を、対応する電話端末を識別する電話端末ＩＤと共に格納する位置情報格納手段と、位置情報および時間帯情報の組み合せ毎に、それぞれの電話端末の着信通知方法を格納する着信通知方法格納手段と、ぞれぞれの電話端末の発着信を制御する呼制御装置がいずれかの電話端末への着信を検出した場合に、着信先の電話端末の位置情報を位置情報格納手段から抽出し、抽出した位置情報および着信日時に基づいて、着信先の電話端末における着信通知方法を着信通知方法格納手段から抽出する着信通知方法抽出手段と、抽出された着信通知方法を、着信先の電話端末または呼制御装置へ送信する着信通知方法送信手段とを備えることを特徴とする着信通知方法管理装置を提供する。
【００１０】
また、本発明の第３の態様は、複数の電話端末と、それぞれの電話端末の発着信を制御する呼制御装置とを備える電話システムであって、呼制御装置は、それぞれの電話端末の位置情報を、対応する電話端末を識別する電話端末ＩＤと共に格納する位置情報格納手段と、位置情報および時間帯情報の組み合せ毎に、それぞれの電話端末の着信通知方法を格納する着信通知方法格納手段と、呼制御装置がいずれかの電話端末への着信を検出した場合に、着信先の電話端末の位置情報を位置情報格納手段から抽出し、抽出した位置情報および着信日時に基づいて、着信先の電話端末における着信通知方法を着信通知方法格納手段から抽出する着信通知方法抽出手段と、抽出された着信通知方法を、着信先の電話端末へ送信する着信通知方法送信手段とを有し、複数の電話端末のそれぞれは、呼制御装置から送信された着信通知方法を受信すると、当該着信通知方法に従って着信を通知する着信通知手段を有することを特徴とする電話システムを提供する。
【発明の効果】
【００１１】
本発明によれば、管理者が、場所および時間帯に応じて、個々の電話端末の着信通知方法を自由に設定することができる。
【発明を実施するための最良の形態】
【００１２】
以下、本発明の実施形態について説明する。
【００１３】
図１は、本発明の一実施形態に係る電話システム１０の構成を示すシステム構成図である。電話システム１０は、呼制御装置２０、着信通知方法管理装置３０、複数のアクセスポイント４０、および複数の電話端末５０を備える。
【００１４】
それぞれの電話端末５０は、例えば最も品質の良い電波を受信可能なアクセスポイント４０に帰属し、当該アクセスポイント４０と、例えば無線ＬＡＮに基づく無線通信を行うことにより、当該アクセスポイント４０を介して、当該アクセスポイント４０に帰属している他の電話端末５０や、他のアクセスポイント４０に帰属している電話端末５０、外部ネットワーク１２に接続されている外部の電話機１１等と通信を行う。
【００１５】
電話端末５０は、着信があった場合に、当該着信の通知と共に通知される着信通知方法に従って、例えばメロディー等の音や、振動、ＬＥＤ（Light Emitting Diode）の点滅、ＬＣＤ（Liquid Crystal Display）の表示等によって、着信をユーザに通知する。
【００１６】
それぞれのアクセスポイント４０は、会議室や、コンサート会場、オフィスフロア等の所定のエリア１４内に１台以上設けられ、ＬＡＮ１３に接続される。アクセスポイント４０は、例えば無線ＬＡＮの規格に基づいてそれぞれの電話端末５０と無線通信を行うと共に、ＬＡＮ１３を介して、呼制御装置２０や着信通知方法管理装置３０等と、例えばイーサネット（登録商標）等の通信規格に基づいて有線通信を行う。
【００１７】
呼制御装置２０は、ＩＰ（Internet Protocol）ネットワーク等の外部ネットワーク１２およびＬＡＮ１３に接続され、ＬＡＮ１３を介して複数の電話端末５０を制御する。また、呼制御装置２０は、いずれかの電話端末５０への着信を検出した場合に、当該着信を着信先の電話端末５０の識別情報と共に、着信通知方法管理装置３０へ着信を通知する、または当該着信を転送する。
【００１８】
着信通知方法管理装置３０は、それぞれの電話端末５０の着信通知方法を管理する。着信通知方法管理装置３０は、着信先の電話端末５０の識別情報と共に着信が呼制御装置２０から転送されてきた場合に、着信先の電話端末５０の現在位置および着信日時に基づいて、着信通知方法を決定し、決定した着信通知方法を、着信と共に着信先の電話端末５０に通知する。
【００１９】
なお、着信通知方法管理装置３０は、決定した着信通知方法を呼制御装置２０へ通知し、呼制御装置２０が着信通知方法を電話端末５０へ通知するようにしてもよい。この場合、呼制御装置２０は、着信通知方法管理装置３０から受信した着信通知方法を、着信の通知に係るコマンドに挿入し、当該コマンドを着信先の電話端末５０へ送信することにより着信を通知する。
【００２０】
なお、本実施形態において、それぞれの電話端末５０は、音声通信を行うボタン電話端末であり、ＩＰ−ＰＢＸ等の呼制御装置２０からの制御信号に応じて動作する。また、他の形態として、それぞれの電話端末５０は、ＳＩＰ（Session Initiation Protocol）等の通信プロトコルを用いて通信を行う電話機であり、呼制御装置２０は、ＳＩＰと等に基づいてそれぞれの電話端末５０の呼を確立する呼制御サーバであってもよい。また、電話端末５０は、音声データ以外のデータを送受信する機能を有していてもよい。
【００２１】
図２は、着信通知方法管理装置３０の詳細な機能構成の一例を示すブロック図である。着信通知方法管理装置３０は、ユーザ設定通知方法格納部３１、着信通知方法格納部３２、位置情報格納部３３、着信通知方法登録部３４、代理応答処理部３５、着信通知方法抽出部３６、着信情報送信部３７、位置情報登録部３８、および有線通信部３９を備える。
【００２２】
有線通信部３９は、イーサネット等の通信規格に基づいて、ＬＡＮ１３を介して呼制御装置２０やアクセスポイント４０等と通信する。着信通知方法登録部３４、代理応答処理部３５、着信通知方法抽出部３６、着信情報送信部３７、および位置情報登録部３８は、有線通信部３９を介して通信データを送受信する。
【００２３】
ユーザ設定通知方法格納部３１には、例えば図３に示すように、それぞれの電話端末５０を識別する電話端末ＩＤ３１０毎に、対応する電話端末５０のユーザによって設定されたデフォルトの着信通知方法３１１が格納される。本実施形態において、着信通知方法とは、例えば、着信音の種類や音量、着信時のＬＣＤの表示態様、着信時のＬＥＤの点灯色や点滅タイミング、着信時のバイブレータの動作タイミング等を特定する情報である。
【００２４】
着信通知方法登録部３４は、電話端末５０から着信通知方法を示す設定データを受信した場合に、当該設定データを、当該設定データを送信してきた電話端末５０の識別情報に対応付けてユーザ設定通知方法格納部３１に登録する。
【００２５】
位置情報格納部３３には、例えば図４に示すように、電話端末ＩＤ３３０毎に、当該電話端末ＩＤ３３０に対応する電話端末５０が帰属しているアクセスポイント４０の識別情報であるアクセスポイントＩＤ３３１が位置情報として格納される。位置情報格納部３３を参照することにより、それぞれの電話端末５０が、帰属先のアクセスポイント４０が設置されている場所の近傍に位置していることが分かる。
【００２６】
位置情報登録部３８は、アクセスポイント４０から、帰属開始の旨と共に電話端末５０の電話端末ＩＤを受信した場合に、当該電話端末ＩＤを、当該電話端末ＩＤを送信してきたアクセスポイント４０のアクセスポイントＩＤに対応付けて位置情報格納部３３に登録する。また、帰属解除の旨と共に電話端末５０の電話端末ＩＤを受信した場合、位置情報登録部３８は、当該電話端末ＩＤおよび当該電話端末ＩＤに対応付けられているアクセスポイントＩＤを位置情報格納部３３から削除する。
【００２７】
着信通知方法格納部３２には、例えば図５に示すように、場所を示す場所情報３２１毎に、複数の着信通知方法管理テーブル３２０が格納される。それぞれの着信通知方法管理テーブル３２０には、場所情報３２１、場所情報３２１に示される場所に設置されたアクセスポイント４０のアクセスポイントＩＤ３２２、時間帯情報３２３、および電話端末５０毎の着信通知方法３２４が格納される。
【００２８】
本実施形態において、着信通知方法３２４には、例えばデフォルトやマナーモード１〜３等がある。デフォルトとは、対応する電話端末５０において、ユーザ設定通知方法格納部３１内に設定された着信通知方法を指す。マナーモード１〜３は、例えば図６に示すような着信通知方法である。なお、図６に示す着信通知方法は、あくまで一例であり、着信態様の内容や、着信態様の継続期間、着信態様の切替順番等は、図６に示す方法の他にも無数に考えられる。
【００２９】
マナーモード１は、着信開始より１０秒間はＬＣＤにより着信を通知し、着信開始より１０秒後から１０秒間はＬＥＤの点滅により着信を通知し、着信開始より２０秒後から１０秒間はバイブレータ振動により着信を通知し、着信開始より３０秒経過しても着信に応答しない場合には着信を切断する着信通知方法である。なお、着信開始から３０秒経過しても着信に応答しない場合には、切断せずに音声メッセージによる代理応答に切り替えるようにしてもよい。
【００３０】
また、マナーモード２は、着信開始より３０秒間は着信を通知せず、着信開始より３０秒後から１０秒間は小音量の鳴音により着信を通知し、着信開始より４０秒後から１０秒間は中音量の鳴音により着信を通知し、着信開始より５０秒経過しても着信に応答しない場合には着信を切断する着信通知方法である。なお、着信開始から５０秒経過しても着信に応答しない場合には、切断せずに代理応答に切り替えるようにしてもよい。
【００３１】
ここで、緊急の要件を伝えたい着信の場合には、通常、比較的長く呼び出し動作を継続することが多い。そのため、マナーモード２において、着信開始より所定期間は、着信を通知しないことにより、電話システム１０は、所定期間以上呼び出しを継続するような緊急の要件を伝えたい着信である可能性の高い着信を選別して、着信させることができる。
【００３２】
この場合、所定期間以上呼び出しを継続するような着信は緊急の要件を伝えたい着信である可能性が高いため、着信より所定期間経過した後には、例えば最初から大音量で通知する等、最も通知能力の高い通知方法で着信を通知させるようにしてもよい。
【００３３】
マナーモード３は、着信させずに、音声メッセージによる代理応答を行い、発信者が要件を残す意志があればその要件を録音し、要件の録音があれば要件の録音がある旨を着信先の電話端末５０に通知し、要件の録音が無ければ着信があった旨（着信日時や発信者番号等）を通知する着信通知方法である。
【００３４】
着信通知方法抽出部３６は、呼制御装置２０からいずれかの電話端末５０への着信を着信先の電話端末５０の電話端末ＩＤと共に受信した場合、着信先の電話端末５０の電話端末ＩＤに基づいて位置情報格納部３３を参照し、着信先の電話端末５０が帰属中のアクセスポイント４０のアクセスポイントＩＤを抽出する。そして、着信通知方法抽出部３６は、抽出したアクセスポイントＩＤに基づいて着信通知方法格納部３２を参照し、抽出したアクセスポイントＩＤが含まれる着信通知方法管理テーブル３２０を特定する。
【００３５】
次に、着信通知方法抽出部３６は、着信先の電話端末５０の電話端末ＩＤと着信日時に基づいて、着信先の電話端末５０に適用する着信通知方法を抽出する。抽出した着信通知方法が代理応答（例えばマナーモード３）である場合、着信通知方法抽出部３６は、代理応答を代理応答処理部３５に指示する。
【００３６】
一方、抽出した着信通知方法が代理応答でない場合、着信通知方法抽出部３６は、抽出した着信通知方法を着信情報送信部３７へ送る。着信情報送信部３７は、着信通知方法抽出部３６から受け取った着信通知方法を、着信を示す情報と共に、着信先の電話端末５０へ送信する。
【００３７】
なお、着信通知方法抽出部３６は、それぞれの電話端末５０の現在の着信通知方法を記憶し、着信通知方法格納部３２および位置情報格納部３３を参照して、着信通知方法に変更があった場合に、その旨を着信情報送信部３７を介して電話端末５０へ通知し、電話端末５０は、通知された着信通知方法を、表示または鳴音等でユーザに通知するようにしてもよい。
【００３８】
代理応答処理部３５は、着信通知方法抽出部３６から指示された場合に、予め設定されている音声メッセージを発信元に通知することにより代理応答し、発信者が希望すれば、要件を録音する。そして、代理応答処理部３５は、要件の録音があれば要件の録音がある旨を着信先の電話端末５０に通知し、要件の録音が無ければ着信があった旨を着信先の電話端末５０に通知する。
【００３９】
図７は、アクセスポイント４０の詳細な機能構成の一例を示すブロック図である。アクセスポイント４０は、有線通信部４１、無線通信部４２、および帰属処理部４３を備える。
【００４０】
有線通信部４１は、イーサネット（登録商標）等の通信規格に基づいて、ＬＡＮ１３を介して呼制御装置２０や着信通知方法管理装置３０等と通信を行う。無線通信部４２は、例えば無線ＬＡＮの規格に基づいて、それぞれの電話端末５０と無線通信を行う。
【００４１】
帰属処理部４３は、無線通信部４２を介して、電話端末５０との間で帰属処理を実行する。そして、新たに電話端末５０が帰属した場合、帰属処理部４３は、当該電話端末５０の電話端末ＩＤおよび自アクセスポイント４０のアクセスポイントＩＤを帰属開始の旨と共に有線通信部４１を介して着信通知方法管理装置３０に通知する。
【００４２】
また、帰属処理部４３は、自アクセスポイント４０に一旦帰属した電話端末５０に対しては、例えばポーリング等により、帰属が継続しているか否かを監視し、帰属していた電話端末５０が自アクセスポイント４０に帰属しなくなった場合に、帰属しなくなった電話端末５０の電話端末ＩＤを帰属解除の旨と共に有線通信部４１を介して着信通知方法管理装置３０に通知する。
【００４３】
図８は、電話端末５０の詳細な機能構成の一例を示すブロック図である。電話端末５０は、電話処理部５１、無線通信部５２、着信通知方法登録部５３、着信通知方法制御部５４、および着信通知部５５を備える。
【００４４】
無線通信部５２は、アクセスポイント４０と、例えば無線ＬＡＮに基づく無線通信を行う。また、無線通信部５２は、最寄りのアクセスポイント４０への帰属の処理や、帰属先のアクセスポイント４０を変更するハンドオーバ処理等の無線ＬＡＮに基づく無線通信に必要な処理を実行する。電話処理部５１、着信通知方法登録部５３、および着信通知方法制御部５４は、無線通信部５２を介してアクセスポイント４０と通信データを送受信する。
【００４５】
着信通知方法登録部５３は、ユーザからの操作に応じて、デフォルトとして設定する着信通知方法を着信通知方法管理装置３０に通知する。電話処理部５１は、発信処理、音声変換処理、着信応答処理、通話処理等の電話通信に必要な処理を実行する。
【００４６】
着信通知部５５は、ＬＣＤ５５０、ＬＥＤ５５１、バイブレータ５５２、およびスピーカ５５３を有する。ＬＣＤ５５０、ＬＥＤ５５１、バイブレータ５５２、およびスピーカ５５３は、着信通知方法制御部５４によって制御される。
【００４７】
着信通知方法制御部５４は、着信通知方法管理装置３０から着信と共に着信通知方法を受信した場合に、受信した着信通知方法に従って、ＬＣＤ５５０、ＬＥＤ５５１、バイブレータ５５２、またはスピーカ５５３を作動させる。着信通知方法制御部５４は、例えば電話端末５０が内蔵するタイマを用いて、それぞれの着信通知方法で指定されている期間を計測し、着信開始からの経過時間に応じて、着信の通知形態を変更する。
【００４８】
図９は、着信通知方法管理装置３０の動作の一例を示すフローチャートである。例えば電源投入等の所定のタイミングで、着信通知方法管理装置３０は、本フローチャートに示す動作を開始する。
【００４９】
まず、着信通知方法抽出部３６は、呼制御装置２０から、着信先の電話端末５０の電話端末ＩＤと共に電話端末５０への着信が通知されたか否かを判定する（Ｓ１００）。電話端末５０への着信が通知された場合（Ｓ１００：Ｙｅｓ）、着信通知方法抽出部３６は、着信先の電話端末５０の電話端末ＩＤに基づいて、当該電話端末ＩＤに対応するアクセスポイントＩＤを位置情報格納部３３から抽出することにより、着信先の電話端末５０の位置情報を取得する（Ｓ１０１）。
【００５０】
次に、着信通知方法抽出部３６は、取得したアクセスポイントＩＤに基づいて着信通知方法格納部３２を参照し、抽出したアクセスポイントＩＤが含まれる着信通知方法管理テーブル３２０を特定する。そして、着信通知方法抽出部３６は、着信先の電話端末５０の電話端末ＩＤと着信日時に基づいて、着信先の電話端末５０に適用する着信通知方法を抽出する（Ｓ１０２）。
【００５１】
次に、着信通知方法抽出部３６は、抽出した着信通知方法が代理応答か否かを判定する（Ｓ１０３）。抽出した着信通知方法が代理応答でない場合（Ｓ１０３：Ｎｏ）、着信通知方法抽出部３６は、抽出した着信通知方法を着信情報送信部３７へ送る。着信情報送信部３７は、着信通知方法抽出部３６から受け取った着信通知方法を、着信を示す情報と共に、着信先の電話端末５０へ送信し（Ｓ１０８）、着信通知方法抽出部３６は、再びステップＳ１００に示した処理を実行する。
【００５２】
抽出した着信通知方法が代理応答である場合（Ｓ１０３：Ｙｅｓ）、着信通知方法抽出部３６は、代理応答を代理応答処理部３５に指示する。代理応答処理部３５は、予め設定されている音声メッセージを発信者に通知することにより代理応答し、発信者が希望すれば、要件を録音する等の代理応答処理を実行する（Ｓ１０４）。そして、代理応答処理部３５は、要件が録音されたか否かを判定する（Ｓ１０５）。
【００５３】
要件が録音された場合（Ｓ１０５：Ｙｅｓ）、代理応答処理部３５は、要件が録音された旨を着信先の電話端末５０に通知し（Ｓ１０７）、着信通知方法抽出部３６は、再びステップＳ１００に示した処理を実行する。一方、要件が録音されていない場合（Ｓ１０５：Ｎｏ）、代理応答処理部３５は、着信があった旨を着信先の電話端末５０に通知し（Ｓ１０６）、着信通知方法抽出部３６は、再びステップＳ１００に示した処理を実行する。
【００５４】
ステップＳ１００において、電話端末５０への着信が通知されていない場合（Ｓ１００：Ｎｏ）、位置情報登録部３８は、帰属開始を示す情報と共に電話端末ＩＤをアクセスポイント４０から受信したか否かを判定する（Ｓ１０９）。帰属開始を示す情報と共に電話端末ＩＤをアクセスポイント４０から受信した場合（Ｓ１０９：Ｙｅｓ）、位置情報登録部３８は、受信した電話端末ＩＤを、当該電話端末ＩＤを送信してきたアクセスポイント４０のアクセスポイントＩＤに対応付けて位置情報格納部３３に登録し（Ｓ１１０）、着信通知方法抽出部３６は、再びステップＳ１００に示した処理を実行する。
【００５５】
帰属開始を示す情報と共に電話端末ＩＤをアクセスポイント４０から受信していない場合（Ｓ１０９：Ｎｏ）、位置情報登録部３８は、帰属解除を示す情報と共に電話端末ＩＤをアクセスポイント４０から受信したか否かを判定する（Ｓ１１１）。帰属解除を示す情報と共に電話端末ＩＤをアクセスポイント４０から受信した場合（Ｓ１１１：Ｙｅｓ）、位置情報登録部３８は、受信した電話端末ＩＤおよび当該電話端末ＩＤに対応付けられているアクセスポイントＩＤを位置情報格納部３３から削除し（Ｓ１１２）、着信通知方法抽出部３６は、再びステップＳ１００に示した処理を実行する。
【００５６】
帰属解除を示す情報と共に電話端末ＩＤをアクセスポイント４０から受信していない場合（Ｓ１１１：Ｎｏ）、着信通知方法登録部３４は、着信通知方法を受信したか否かを判定する（Ｓ１１３）。着信通知方法を受信した場合（Ｓ１１３：Ｙｅｓ）、受信した着信通知方法を示すデータを、当該着信通知方法を送信してきた電話端末５０の電話端末ＩＤに対応付けてユーザ設定通知方法格納部３１に登録し（Ｓ１１４）、着信通知方法抽出部３６は、再びステップＳ１００に示した処理を実行する。着信通知方法を受信していない場合（Ｓ１１３：Ｎｏ）、着信通知方法抽出部３６は、再びステップＳ１００に示した処理を実行する。
【００５７】
図１０は、電話端末５０の動作の一例を示すフローチャートである。例えば電源投入等の所定のタイミングで、電話端末５０は、本フローチャートに示す動作を開始する。なお、本フローチャートでは、発信処理や通話処理等の電話としての公知の処理については省略している。
【００５８】
まず、着信通知方法制御部５４は、着信通知方法管理装置３０から着信通知方法と共に着信が通知されたか否かを判定する（Ｓ２００）。着信通知方法と共に着信が通知された場合（Ｓ２００：Ｙｅｓ）、着信通知方法制御部５４は、通知された着信通知方法に従い着信通知部５５を制御して、着信を通知し（Ｓ２０１）、着信通知方法制御部５４は、再びステップＳ２００に示した処理を実行する。
【００５９】
着信が通知されていない場合（Ｓ２００：Ｎｏ）、着信通知方法制御部５４は、要件が録音されている旨が通知されたか否かを判定する（Ｓ２０２）。要件が録音されている旨が通知された場合（Ｓ２０２：Ｙｅｓ）、着信通知方法制御部５４は、ＬＣＤ５５０を制御して、要件が録音されている旨を表示により通知し（Ｓ２０３）、着信通知方法制御部５４は、再びステップＳ２００に示した処理を実行する。
【００６０】
要件が録音されている旨が通知されていない場合（Ｓ２０２：Ｎｏ）、着信通知方法制御部５４は、着信があった旨が通知されたか否かを判定する（Ｓ２０４）。着信があった旨が通知された場合（Ｓ２０４：Ｙｅｓ）、着信通知方法制御部５４は、ＬＣＤ５５０を制御して、着信があった旨を表示により通知し（Ｓ２０５）、着信通知方法制御部５４は、再びステップＳ２００に示した処理を実行する。
【００６１】
着信があった旨が通知されていない場合（Ｓ２０４：Ｎｏ）、着信通知方法登録部５３は、着信通知方法の登録操作を検出したか否かを判定する（Ｓ２０６）。着信通知方法の登録操作を検出した場合（Ｓ２０６：Ｙｅｓ）、着信通知方法登録部５３は、デフォルトとして設定する着信通知方法を着信通知方法管理装置３０に登録し（Ｓ２０７）、着信通知方法制御部５４は、再びステップＳ２００に示した処理を実行する。着信通知方法の登録操作を検出していない場合（Ｓ２０６：Ｎｏ）、着信通知方法制御部５４は、再びステップＳ２００に示した処理を実行する。
【００６２】
以上、本発明の実施形態について説明した。
【００６３】
上記説明から明らかなように、本実施形態の電話システム１０によれば、電話システム１０の管理者が、場所および時間帯に応じて、個々の電話端末５０の着信通知方法を自由に設定することができる。
【００６４】
なお、本発明は上記した実施形態に限定されるものではなく、その要旨の範囲内で数々の変形が可能である。
【００６５】
例えば、上記した実施形態では、それぞれの電話端末５０毎に場所および時間帯に応じて着信通知方法を個別に設定したが、他の形態として、１つ以上の電話端末５０を含むグループ毎に、当該グループに属する電話端末５０の場所および時間帯に応じて着信通知方法を設定するようにしてもよい。
【００６６】
また、上記した実施形態において、着信通知方法格納部３２内の時間帯情報は、グループウェアのスケジュール管理機能と連係して設定されるようにしてもよい。この場合、例えばユーザの予定が会議である時間帯の着信を、場所に関わらずマナーモードとすることができる。
【００６７】
また、上記した実施形態において、マナーモード１〜３の方法について説明してきたが、電話端末５０が例えばアクセスポイント４０（例えば会議室）のエリア圏外へ出た場合に、着信があった旨の表示や通知音を鳴動するようなマナーモードであってもよい。
【００６８】
また、上記した実施形態では、電話端末５０として移動無線端末を想定したが、他の形態として、電話端末５０は、有線接続された電話機であってもよい。この場合、会議室に設けられた電話端末５０を、会議中にマナーモードや代理応答としたり、休日の受付の電話端末５０を代理応答としたりすることができる。
【００６９】
さらに、上記した実施形態では、呼制御装置２０および着信通知方法管理装置３０を別々の装置として説明したが、これは既設の一般的な呼制御装置２０を流用しつつ着信通知方法管理装置３０を増設できるようにするためである。しかしながら、本発明はこれに限定されるものではなく、呼制御装置２０および着信通知方法管理装置３０は、呼制御装置２０に着信通知方法管理装置３０の機能を内蔵して一つの装置として実現されてもよい。
【００７０】
また、上記した実施形態では、無線通信方式の一例として無線ＬＡＮを用いて説明したが、本発明はこれに限られず、ＷＣＤＭＡ（Wideband Code Division Multiple Access）やＰＤＣ（Personal Digital Cellular）等の携帯電話方式やＰＨＳ（Personal Handyphone SYSTEM）、Ｂｌｕｅｔｏｏｔｈ（登録商標）、Ｚｉｇｂｅｅ（登録商標）、ＷｉＭＡＸ（Worldwide Interoperability for Microwave Access）等の他の無線通信方式を用いても本発明を実現することができる。
【図面の簡単な説明】
【００７１】
【図１】本発明の一実施形態に係る電話システム１０の構成を示すシステム構成図である。
【図２】着信通知方法管理装置３０の詳細な機能構成の一例を示すブロック図である。
【図３】ユーザ設定通知方法格納部３１に格納されるデータの構造の一例を示す図である。
【図４】位置情報格納部３３に格納されるデータの構造の一例を示す図である。
【図５】着信通知方法格納部３２に格納されるデータの構造の一例を示す図である。
【図６】マナーモードの種類を説明するための説明図である。
【図７】アクセスポイント４０の詳細な機能構成の一例を示すブロック図である。
【図８】電話端末５０の詳細な機能構成の一例を示すブロック図である。
【図９】着信通知方法管理装置３０の動作の一例を示すフローチャートである。
【図１０】電話端末５０の動作の一例を示すフローチャートである。
【符号の説明】
【００７２】
１０・・・電話システム、１１・・・外部の電話機、１２・・・外部ネットワーク、１３・・・ＬＡＮ、１４・・・エリア、２０・・・呼制御装置、３０・・・着信通知方法管理装置、３１・・・ユーザ設定通知方法格納部、３１０・・・電話端末ＩＤ、３１１・・・着信通知方法、３２・・・着信通知方法格納部、３２０・・・着信通知方法管理テーブル、３２１・・・場所情報、３２２・・・アクセスポイントＩＤ、３２３・・・時間帯情報、３２４・・・着信通知方法、３３・・・位置情報格納部、３３０・・・電話端末ＩＤ、３３１・・・アクセスポイントＩＤ、３４・・・着信通知方法登録部、３５・・・代理応答処理部、３６・・・着信通知方法抽出部、３７・・・着信情報送信部、３８・・・位置情報登録部、３９・・・有線通信部、４０・・・アクセスポイント、４１・・・有線通信部、４２・・・無線通信部、４３・・・帰属処理部、５０・・・電話端末、５１・・・電話処理部、５２・・・無線通信部、５３・・・着信通知方法登録部、５４・・・着信通知方法制御部、５５・・・着信通知部、５５０・・・ＬＣＤ、５５１・・・ＬＥＤ、５５２・・・バイブレータ、５５３・・・スピーカ
【図１】
2008187352.tif 000003
【図２】
2008187352.tif 000004
【図３】
2008187352.tif 000005
【図４】
2008187352.tif 000006
【図５】
2008187352.tif 000007
【図６】
2008187352.tif 000008
【図７】
2008187352.tif 000009
【図８】
2008187352.tif 000010
【図９】
2008187352.tif 000011
【図１０】
2008187352.tif 000012